(57)【要約】【課題】            線香を焚いたときに生じる樹脂状のヤニによる汚れを防止できる線香立てを提供すること【解決手段】        本発明は、線香を焚くためにこれを立設して支持するための線香立てであって：所定の平面上に安定に載置するための基台と；該基台の所定位置においてその露出面に開口して設けられた少なくとも一つの穴と；先端が閉じ且つた底面が開放された錐体形状を有し、その尖った先端から前記孔の中へと着脱自在に挿入される線香支持アタッチメントとを具備し、該線香支持アタッチメントの前記開いた底面から前記閉じた先端へと線香を挿入し、その錐体形状の壁の内壁により前記線香を支持することを特徴とする。【選択図】図１
2009219844.tif 000002
【特許請求の範囲】
【請求項１】
線香を焚くためにこれを立設して支持するための線香立てであって：
所定の平面上に安定に載置するための基台と、
該基台の所定位置においてその露出面に開口して設けられた少なくとも一つの穴と、
先端が閉じ且つ底面が開放された錐体形状を有し、その尖った先端から前記孔の中へと着脱自在に挿入される線香支持アタッチメントとを具備し、
該線香支持アタッチメントの前記開いた底面から前記閉じた先端へと線香を挿入し、その錐体形状の壁の内壁により前記線香を支持することを特徴とする線香立て。
【発明の詳細な説明】
【技術分野】
【０００１】  本発明は、線香を安定に保持するために使用する線香立てに関する。
【背景技術】
【０００２】  古来、日本には香りの文化が存在し、線香は、その具体化された一つの形態である。その後長年に亘り、線香は殆どが仏前での使用に限定されることが多かったが、近年のアロマテラピーの隆盛に伴って、部屋に香りを焚きこめて精神的なリラグゼーションを得るための手段としての、本来の用途が復活しつつある。【０００３】  このような用途に使用される線香立ては、一般に、受け皿をかねた支持体の中央部に山形の台座部が一体に設けられた陶磁器等の焼物が用いられることが多い。この山形の台座の頂部には線香を垂直に挿入できる支持穴が穿孔されており、線香は、この支持穴の中に下端部を挿入することにより、垂直に立てた状態で使用される。【０００４】  ところで、香炉の例からも分るように、このような用途に使用される線香立ては、もはや単なる道具というよりも芸術的価値のある陶芸品として床の間に飾られることも多く、このような線香立てはかなり高価である。しかし、このような線香立てに線香を立てて焚くと、不可避的に生じる樹脂状のヤニが台座の頂部に付着してしまい、高価な芸術的価値のある陶芸品の価値が大きく減損されてしまう問題があった。そのため、このような高価な線香立ては、実用されることがなく、単に床の間の置物としてしか使用されないのが現状である。
【発明の開示】
【発明が解決しようとする課題】
【０００５】  本発明は上記事情に鑑みてなされたものであり、線香立ての使用において、線香を焚いたときに不可避的に生じる樹脂状のヤニによる汚れを防止できる線香立てを提供することを課題とするものである。
【課題を解決するための手段】
【０００６】  本発明は、上記課題を解決するために、線香を焚くためにこれを立設して支持するための線香立てであって：
所定の平面上に安定に載置するための基台と、
該基台の所定位置においてその露出面に開口して設けられた少なくとも一つの穴と、
先端が閉じ且つ底面が開放された錐体形状を有し、その尖った先端から前記孔の中へと着脱自在に挿入される線香支持アタッチメントとを具備し、
該線香支持アタッチメントの前記開いた底面から前記閉じた先端へと線香を挿入し、その錐体形状の壁の内壁により前記線香を支持することを特徴とする線香立てを提供する。【０００７】  本発明における基台は、例えば、木製、金属製、セラミックス製、プラスチック製など、如何なる材料で形成されてもよい。漆塗りの木製、鋳物、陶磁器等の焼物が好ましい。また、基台は単純な平板状でもよく、また皿状等の如何なる形状でもよい。但し、その使用態様を考慮すれば、平面上に安定に配置できる形状とするのが望ましい。【０００８】  前記基台の露出表面に開口して設けられた穴は、後述する線香支持アタッチメントを挿入して、その落下を防止できる限り、如何なる基台の如何なる位置であってもよく、また如何なる断面形状であってもよい。しかし、一般には、基台中央部の頂面に穿孔され、その中に挿入される穿孔支持アタッチメントの断面形状に対応した断面形状を有するのが望ましい。また、穴の方向は基台の露出面に対して垂直であるが、場合によっては斜めに傾斜して形成されてもよい。更に、この穴が形成される基台部分は、凸状に盛上がった台座の形状になっているのが好ましい。なお、このような挿入穴を有する基台としては、従来使用されている線香立てをそのまま使用することもできる。【０００９】  本発明の特徴は、上記の基台に設けられた挿入穴に挿入される線香支持アタッチメントにある。このアタッチメントは、底面が開放された錐体形状であり、円錐形、または三角錐もしくは四角錐等の多角錐体形状であってよい。該アタッチメントの材料も、基台の材料と同じく特に限定されず、金属製、プラスチック製、セラミックス製等を任意に使用できる。しかし、後述する通り、このアタッチメントは使い捨て部品なので、プラスチック製のような低コストのものが好ましい。【００１０】  本発明の線香立ての使用に際しては、上記のアタッチメントを、錐体の壁が上方に向って拡開するように、錐体の先端から基台の穴の中に挿入して指し込む。こうして挿入されたアタッチメントは、基台の上に植え込まれた逆錐体形状の容器を形成する。この容器の中に、線香の下端を挿入して立設し、通常通りに線香の先端に着火して香を焚たけばよい。線香が短くなってヤニが垂れても、このヤニは前記容器の中に蓄えられて、基台を汚すことはない。前記容器の中にヤニがある程度溜まったら、アタッチメントを取りかえるだけでよい。従って、高価な線香立ての場合にも、ヤニによる汚れを気にすることなく使用できるという顕著な効果が得られる。
【発明を実施するための最良の形態】
【００１１】  以下、図面を参照して、本発明の実施例を説明する。
図１は、本発明の一実施例になる線香立てを、その使用の状態で示す斜視図である。図において、１は、円形平板状の陶器製基台であり、その中央には円形の穴２が穿孔されている。この穴には、底面が開放された円錐形の線香立てアタッチメント３が、その開放された底面を上に向け、その尖端を前記孔２の中に差込むことにより固定されている。このアタッチメント３は逆円錐形の容器を形成しており、該容器の中には線香４が挿入されて立設されている。こうして立設された線香４は、その先端に着火して使用されるようになっている。【００１２】  上記実施例では、線香アタッチメント３の外形は逆円錐形であり、その大きさは、図２（Ａ）に示すように短いもの、または図２（Ｂ）に示すように少し長いもの等、線香を立設させて支持できる範囲で任意に設定することができる。一般には、アタッチメント３の長さは約１．５〜約３ｃｍである。また、その底面の大きさ（直径）も任意であり、線香を収容できる範囲の大きさであればよい。また、円錐形に限定されることなく、図２（Ｃ）に示すような四角錐、または図２（Ｄ）に示すような三角錐であってもよい。【００１３】  上記実施例の線香立てでは、図１の状態で使用して線香４が最後まで燃焼したとしても、その結果として発生したヤニはアタッチメント３が形成する逆円錐状容器の中に溜まるだけで、基台１に接触してこれを汚すことはない。アタッチメント３がヤニで一杯になれば、このアタッチメントを取外して廃棄し、新しいアタッチメント４を同様にして取りつければよい。従って、基台１がヤニで汚されることを気にする必要がないので、高価な線香立ての場合にも気軽に実際の使用に供することが可能になる。【００１４】  図３は、本発明のもう一つの実施形態を示している。この実施例は、線香４を基台１の表面に対して傾斜させて支持するようにしたものである。その結果、基台１への線香４の投影線は長くなり、線香が燃焼した後の灰が落ちる範囲も長くなるので、基台１は落下する灰を受けるために細長い長方形のプレートになっている。また、このように線香４を斜めに傾斜させて支持するために、アタッチメント３は基台１の表面に対して斜めになるように、穴２に挿入固定される。当然ながら、この実施形態の場合には、穴２およびアタッチメント２は細長い基台１の中央ではなく、何れかの端部に近い位置に設けられるであろう。【００１５】  このように、図３の実施例によれば、線香の角度を任意に変化させて支持できるという、デザイン上の利点が得られる。
【発明の効果】
【００１６】  以上詳述したように、本発明の線香立てによれば、線香を焚いたときに不可避的に生じる樹脂状のヤニによる汚れを防止でき、ヤニが蓄積したときには容易に当該部分を取り替えることができるので、高価な工芸品的価値を持った線香立ての作品についても、気にすることなく実用に供することができるという顕著な効果を得ることができる。
【図面の簡単な説明】
【００１７】
【図１】  図１は、本発明の一実施例になる線香立てを、その使用状態で示す斜視図である。
【図２】  図２は、本発明において使用する線香支持アタッチメントの幾つかの例を示す斜視図である。
【図３】  図３は、本発明の他の実施例になる線香立てを、その使用状態で示す斜視図である。
【符号の説明】
【００１８】１…基台、２…穴、３…線香支持アタッチメント、４…線香
【図１】
2009219844.tif 000003
【図２】
2009219844.tif 000004
【図３】
2009219844.tif 000005